【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
認可されたドメインを発生する方法であって、該方法が、
−  前記認可されたドメインを固有に識別するドメイン識別子を選択するステップと、
−  前記ドメイン識別子により識別される前記認可されたドメインに少なくとも１人のユーザを結合するステップと、
−  前記ドメイン識別子により識別される前記認可されたドメインに少なくとも１つの装置を結合するステップと、
−  前記ドメイン識別子により与えられる前記認可されたドメインに少なくとも１つのコンテンツ項目を、
ａ）前記コンテンツ項目を、前記認可されたドメインに結合されたユーザに結合されたユーザ権利に結合するステップ、及び／又は
ｂ）前記コンテンツ項目を、前記認可されたドメインに結合された装置に結合された装置権利に結合するステップ、及び／又は
ｃ）前記コンテンツ項目を、前記認可されたドメインに結合されたドメイン権利に結合するステップ、
により結合するステップと、
を有し、これにより、前記認可されたドメインに結合されたコンテンツ項目にアクセスすることを認可された複数の装置及び複数のユーザを得ることを特徴とする方法。
【請求項２】
請求項１に記載の方法において、当該方法が、所与のユーザにより操作されている所与の装置による前記認可されたドメインに結合された所与のコンテンツ項目へのアクセスを制御するステップを更に有し、該ステップが、
−  前記所与のユーザが、前記所与のコンテンツ項目と同一の認可されたドメインに結合されているかをチェックするステップ、又は
−  前記所与の装置が、前記所与のコンテンツ項目と同一の認可されたドメインに結合されているかをチェックするステップ、
を有し、
前記所与のユーザが同一の認可されたドメインに結合されている場合、該所与のユーザに対し前記所与の装置及び／又は他の装置を介しての前記コンテンツ項目へのアクセスを許可し、又は
前記所与の装置が同一の認可されたドメインの一部である場合、該所与のユーザ及び／又は他のユーザに対し前記所与の装置を介しての前記コンテンツ項目へのアクセスを許可する、
ことを特徴とする方法。
【請求項３】
請求項１又は請求項２に記載の方法において、
前記認可されたドメインに少なくとも１人のユーザを結合するステップが、前記ドメイン識別子及びユーザに対する固有の識別子を有し、これにより該ユーザが前記認可されたドメインに結合されることを定義するようなドメインユーザリストを獲得又は発生するステップを有し、及び／又は
前記認可されたドメインに少なくとも１つの装置を結合するステップが、前記ドメイン識別子及び装置に対する固有の識別子を有し、これにより該装置が前記認可されたドメインに結合されることを定義するようなドメイン装置リストを獲得又は発生するステップを有する、
ことを特徴とする方法。
【請求項４】
請求項３に記載の方法において、当該方法が、所与のユーザにより操作されている所与の装置による前記認可されたドメインに結合され且つ固有のコンテンツ識別子を有する所与のコンテンツ項目へのアクセスを制御するステップを更に有し、該ステップが、
−  前記認可されたドメインの前記ドメイン装置リストが前記所与の装置の識別子を有するかをチェックし、これにより、該所与の装置が前記コンテンツ項目と同一の認可されたドメインに結合されているかをチェックするステップ、及び／又は
−  前記認可されたドメインの前記ドメインユーザリストが前記所与のユーザの識別子を有するかをチェックし、これにより、該所与のユーザが前記コンテンツ項目と同一の認可されたドメインに結合されているかをチェックするステップと、
前記所与の装置が、アクセスされている前記コンテンツ項目と同一の認可されたドメインに結合されている場合、何れのユーザに対しても該所与の装置による前記所与のコンテンツ項目へのアクセスを許可するステップ、及び／又は
前記所与のユーザが、アクセスされている前記コンテンツ項目と同一の認可されたドメインに結合されている場合、該所与のユーザに対し前記所与の装置を含む何れの装置による前記所与のコンテンツ項目へのアクセスも許可するステップと、
を有することを特徴とする方法。
【請求項５】
請求項２又は請求項４に記載の方法において、前記所与のコンテンツ項目へのアクセスを制御するステップが、
前記所与のコンテンツ項目に対する前記ユーザ権利が、前記所与のユーザが該所与のコンテンツ項目にアクセスする権利を有することを特定していることをチェックするステップを更に有し、
該チェックするステップが肯定的結果を有する場合にのみ前記所与のコンテンツ項目へのアクセスを許可することを特徴とする方法。
【請求項６】
請求項１に記載の方法において、前記認可されたドメインに少なくとも１人のユーザを結合するステップ及び前記認可されたドメインに少なくとも１つの装置を結合するステップが、前記ドメイン識別子、少なくとも１人のユーザに対する固有の識別子及び少なくとも１つの装置に対する固有の識別子を有し、これにより前記ユーザ及び装置の両方が前記認可されたドメインに結合されていることを定義するような単一のリスト又は証明書を獲得又は発生するステップを有していることを特徴とする方法。
【請求項７】
請求項６に記載の方法において、前記単一のリスト又は証明書が、前記ドメイン識別子、正確に１人のユーザに対する固有の識別子及び正確に１つの装置に対する固有の識別子を有するような方法。
【請求項８】
請求項１に記載の方法において、前記ユーザ権利又は前記装置権利又は前記ドメイン権利が、該ユーザ権利又は該装置権利又は該ドメイン権利に結合された前記少なくとも１つのコンテンツ項目に関してどの権利が存在するかを表す権利データを有していることを特徴とする方法。
【請求項９】
請求項１に記載の方法において、全てのコンテンツ項目が暗号化されており、コンテンツ権利が各コンテンツ項目と、ユーザ権利又は装置権利又はドメイン権利とに結合され、所与のコンテンツ項目の前記コンテンツ権利が該所与のコンテンツ項目を解読するための解読キーを有していることを特徴とする方法。
【請求項１０】
請求項１に記載の方法において、
−  前記ドメインユーザリストは、ドメインユーザ証明書として構成されるか又はドメインユーザ証明書に含まれ、及び／又は
−  前記ドメイン装置リストは、ドメイン装置証明書として構成されるか又はドメイン装置証明書に含まれ、及び／又は
−  前記ユーザ権利は、ユーザ権利証明書として構成されるか又はユーザ権利証明書に含まれ、及び／又は
−  前記装置権利は、装置権利証明書として構成されるか又は装置権利証明書に含まれ、及び／又は
−  前記ドメイン権利は、ドメイン権利証明書として構成されるか又はドメイン権利証明書に含まれる、
ことを特徴とする方法。
【請求項１１】
認可されたドメインを発生するシステムであって、該システムが、
−  前記認可されたドメインを固有に識別するドメイン識別子を得る手段と、
−  前記ドメイン識別子により識別される前記認可されたドメインに少なくとも１人のユーザを結合する手段と、
−  前記ドメイン識別子により識別される前記認可されたドメインに少なくとも１つの装置を結合する手段と、
−  前記ドメイン識別子により識別される前記認可されたドメインに少なくとも１つのコンテンツ項目を、
ａ）コンテンツ項目を、前記認可されたドメインに結合されたユーザに結合されたユーザ権利に結合する、及び／又は
ｂ）コンテンツ項目を、前記認可されたドメインに結合された装置に結合された装置権利に結合する、及び／又は
ｃ）コンテンツ項目を、前記認可されたドメインに結合されたドメイン権利に結合する、
ことにより結合する手段と、
を有し、これにより、前記認可されたドメインのコンテンツ項目にアクセスすることを認可された複数の装置及び複数のユーザを得ることを特徴とするシステム。
【請求項１２】
請求項１１に記載のシステムにおいて、当該システムが、所与のユーザにより操作されている所与の装置による前記認可されたドメインに結合された所与のコンテンツ項目へのアクセスを制御する手段を更に有し、該手段が、
−  前記所与のユーザが、前記所与のコンテンツ項目と同一の認可されたドメインに結合されているかをチェックするか、又は
−  前記所与の装置が、前記所与のコンテンツ項目と同一の認可されたドメインに結合されているかをチェックし、
前記所与のユーザが同一の認可されたドメインに結合されている場合、該所与のユーザに対し前記所与の装置及び／又は他の装置を介しての前記コンテンツ項目へのアクセスを許可し、又は
前記所与の装置が同一の認可されたドメインの一部である場合、該所与のユーザ及び／又は他のユーザに対し前記所与の装置を介しての前記コンテンツ項目へのアクセスを許可する、
ように構成されていることを特徴とするシステム。
【請求項１３】
請求項１１に記載のシステムにおいて、
前記認可されたドメインに少なくとも１人のユーザを結合する手段が、前記ドメイン識別子及びユーザに対する固有の識別子を有し、これにより該ユーザが前記認可されたドメインに結合されることを定義するようなドメインユーザリストを獲得又は発生するように構成され、及び／又は
前記認可されたドメインに少なくとも１つの装置を結合する手段が、前記ドメイン識別子及び装置に対する固有の識別子を有し、これにより該装置が前記認可されたドメインに結合されることを定義するようなドメイン装置リストを獲得又は発生するように構成される、
ことを特徴とするシステム。
【請求項１４】
請求項１３に記載のシステムにおいて、当該システムが、所与のユーザにより操作されている所与の装置による前記認可されたドメインに結合され且つ固有のコンテンツ識別子を有する所与のコンテンツ項目へのアクセスを制御する手段を更に有し、該手段が、
−  前記認可されたドメインの前記ドメイン装置リストが前記所与の装置の識別子を有するかをチェックし、これにより、該所与の装置が前記コンテンツ項目と同一の認可されたドメインに結合されているかをチェックし、及び／又は
−  前記認可されたドメインの前記ドメインユーザリストが前記所与のユーザの識別子を有するかをチェックし、これにより、該所与のユーザが前記コンテンツ項目と同一の認可されたドメインに結合されているかをチェックし、
前記所与の装置が、アクセスされている前記コンテンツ項目と同一の認可されたドメインに結合されている場合、何れのユーザに対しても該所与の装置による前記所与のコンテンツ項目へのアクセスを許可し、及び／又は
前記所与のユーザが、アクセスされている前記コンテンツ項目と同一の認可されたドメインに結合されている場合、該所与のユーザに対し前記所与の装置を含む何れの装置による前記所与のコンテンツ項目へのアクセスも許可する、
ように構成されていることを特徴とするシステム。
【請求項１５】
請求項１２又は請求項１４に記載のシステムにおいて、前記所与のコンテンツ項目へのアクセスを制御する手段が、前記所与のコンテンツ項目に対する前記ユーザ権利が、前記所与のユーザが該所与のコンテンツ項目にアクセスする権利を有することを特定していることを更にチェックし、該チェックが肯定的結果を有する場合にのみ前記所与のコンテンツ項目へのアクセスを許可するように構成されていることを特徴とするシステム。
【請求項１６】
請求項１１に記載のシステムにおいて、前記認可されたドメインに少なくとも１人のユーザを結合する手段が、前記ドメイン識別子、少なくとも１人のユーザに対する固有の識別子及び少なくとも１つの装置に対する固有の識別子を有し、これにより前記ユーザ及び装置の両方が前記認可されたドメインに結合されていることを定義するような単一のリスト又は証明書を獲得又は発生するように構成されていることを特徴とするシステム。
【請求項１７】
請求項１６に記載のシステムにおいて、前記単一のリスト又は証明書が、前記ドメイン識別子、正確に１人のユーザに対する固有の識別子及び正確に１つの装置に対する固有の識別子を有するようなシステム。
【請求項１８】
請求項１１に記載のシステムにおいて、前記ユーザ権利、前記装置権利又は前記ドメイン権利が、該ユーザ権利又は該装置権利又は該ドメイン権利に結合された前記少なくとも１つのコンテンツ項目に関してどの権利が存在するかを表す権利データを有していることを特徴とするシステム。
【請求項１９】
請求項１１に記載のシステムにおいて、全てのコンテンツ項目が暗号化されており、コンテンツ権利が各コンテンツ項目と、ユーザ権利又は装置権利又はドメイン権利とに結合され、所与のコンテンツ項目の前記コンテンツ権利が該所与のコンテンツ項目を解読するための解読キーを有していることを特徴とするシステム。
【請求項２０】
請求項１１に記載のシステムにおいて、
−  前記ドメインユーザリストは、ドメインユーザ証明書として構成されるか又はドメインユーザ証明書に含まれ、及び／又は
−  前記ドメイン装置リストは、ドメイン装置証明書として構成されるか又はドメイン装置証明書に含まれ、及び／又は
−  前記ユーザ権利は、ユーザ権利証明書として構成されるか又はユーザ権利証明書に含まれ、及び／又は
−  前記装置権利は、装置権利証明書として構成されるか又は装置権利証明書に含まれ、及び／又は
−  前記ドメイン権利は、ドメイン権利証明書として構成されるか又はドメイン権利証明書に含まれる、
ことを特徴とするシステム。
【請求項２１】
１以上の処理ユニットに請求項１ないし１０の何れか一項に記載の方法を実行させるような命令が記憶されたコンピュータ読み取り可能な媒体。